(57)【特許請求の範囲】
【請求項１】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、暖房運転中に水位センサが所定水位以下を検知した時、暖房運転を停止すると共にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止することを特徴とする温水暖房装置。
【請求項２】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、暖房運転中に水位センサが所定水位以下を検知した時、暖房運転を停止し、前記暖房運転停止後の運転スイッチのオン操作により暖房運転を開始すると共にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止することを特徴とする温水暖房装置。
【請求項３】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、水位センサが所定水位を超える水位を検知するまで暖房運転の禁止状態を行い、暖房運転を実施した後停止した状態で水位センサが所定水位以下を検知した時、及び暖房運転中に水位センサが所定水位以下を検知して暖房運転を停止した時にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止することを特徴とする温水暖房装置。
【請求項４】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、水位センサが所定水位を超える水位を検知するまで暖房運転の禁止状態を行い、暖房運転を実施した後停止した状態で水位センサが所定水位以下を検知した時の後の運転スイッチのオン操作、及び暖房運転中に水位センサが所定水位以下を検知して暖房運転を停止した時の後の運転スイッチのオン操作からタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止することを特徴とする温水暖房装置。
【請求項５】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、その後の運転スイッチのオン操作により暖房運転の禁止表示と暖房運転の禁止状態とを水位センサが所定水位を超える水位を検知するまで行い、暖房運転を実施した後停止した状態で水位センサが所定水位以下を検知して給水の表示をした時、及び暖房運転中に水位センサが所定水位以下を検知して暖房運転を停止して暖房運転の禁止表示をした時にタイマによる計時を開始し、タイマが所定時間を計時するまでは水位センサが所定水位以下を検知していても運転スイッチのオン操作により給水の表示をした状態で暖房運転を行うことができ、タイマが所定時間を計時した時、水位センサが所定水位を超える水位を検知するまで暖房運転の禁止表示を行いながら暖房運転を禁止することを特徴とする温水暖房装置。
【請求項６】
燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、その後の運転スイッチのオン操作により暖房運転の禁止表示と暖房運転の禁止状態とを水位センサが所定水位を超える水位を検知するまで行い、暖房運転を実施した後停止した状態で水位センサが所定水位以下を検知して給水の表示をした時の後の運転スイッチのオン操作、及び暖房運転中に水位センサが所定水位以下を検知して暖房運転を停止して暖房運転の禁止表示をした時の後の運転スイッチのオン操作からタイマによる計時を開始し、タイマが所定時間を計時するまでは水位センサが所定水位以下を検知していても運転スイッチのオン操作により給水の表示をした状態で暖房運転を行うことができ、タイマが所定時間を計時した時、水位センサが所定水位を超える水位を検知するまで暖房運転の禁止表示を行いながら暖房運転を禁止することを特徴とする温水暖房装置。
【発明の詳細な説明】
【技術分野】
【０００１】
本発明は、温水を加熱し循環させて暖房を行う温水暖房装置に関するものである。
【背景技術】
【０００２】
従来よりこの種の温水暖房装置に於いては、手動注水式のタンク内の水位を検出するための水位検出センサを１つ備え、その検出水位が所定水位以下になれば空焚き防止のために暖房運転を強制停止させるものが知られている。（例えば、特許文献１参照）
【特許文献１】特公平３−５１９７６号公報
【０００３】
上記温水暖房装置においては、空焚きによる熱交換缶体の損傷防止に重きを置く制御が採用されているため、温水循環回路内に暖房運転のためにまだ十分に循環水が残存している場合であっても、タンク内の検出水位が所定水位以下に低下すれば暖房運転を強制停止するという過剰な安全動作により暖房が使用できないことになり、ユーザにとっては不便極まりないことになるため、暖房回路の途中に水位センサを備えた補助タンクを設け、暖房運転中に水位センサの検出信号が所定時間連続して非出力の時、検出信号が非出力になった時点から設定監視時間が経過するまで暖房運転を続行するものがある。（例えば、特許文献２参照）
【特許文献２】特開２００２−８９８６０号公報
【発明の開示】
【発明が解決しようとする課題】
【０００４】
ところでこの従来のものでは、暖房運転中に水位センサの検出信号が所定時間連続して非出力の時、循環水不足の故障表示をしつつ、検出信号が非出力になった時点から設定監視時間が経過するまで暖房運転を続行するが、循環水不足の故障表示をしても暖房運転がそのまま継続されるため、ユーザが循環水不足に気づかなかったり、逆に故障表示が間違っていると勘違いしたり、軽微なことで故障というほどでもないと思ったりして、結局、検出信号が非出力になった時点から設定監視時間が経過するまで循環水を補給せず、設定監視時間が経過して暖房運転が禁止されてから慌てて循環水の補水作業を行ったり、サービスマンに連絡して対応してもらうという問題があった。
【課題を解決するための手段】
【０００５】
この発明はこの点に着目し上記課題を解決する為、特にその構成を請求項１では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、暖房運転中に水位センサが所定水位以下を検知した時、暖房運転を停止すると共にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止するものである。
【０００６】
又請求項２に係る温水暖房装置では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、暖房運転中に水位センサが所定水位以下を検知した時、暖房運転を停止し、前記暖房運転停止後の運転スイッチのオン操作により暖房運転を開始すると共にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止するものである。
【０００７】
又請求項３に係る温水暖房装置では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、水位センサが所定水位を超える水位を検知するまで暖房運転の禁止状態を行い、暖房運転を実施した後停止した状態で水位センサが所定水位以下を検知した時、及び暖房運転中に水位センサが所定水位以下を検知して暖房運転を停止した時にタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止するものである。
【０００８】
又請求項４に係る温水暖房装置では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、水位センサが所定水位を超える水位を検知するまで暖房運転の禁止状態を行い、暖房運転を実施した後停止した状態で水位センサが所定水位以下を検知した時の後の運転スイッチのオン操作、及び暖房運転中に水位センサが所定水位以下を検知して暖房運転を停止した時の後の運転スイッチのオン操作からタイマによる計時を開始し、タイマが所定時間を計時するまでは水位センサが所定水位以下を検知していても運転スイッチのオン操作により暖房運転を行うことができ、タイマが所定時間を計時した時、水位センサが所定水位を超える水位を検知するまで暖房運転を禁止するものである。
【０００９】
又請求項５に係る温水暖房装置では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、その後の運転スイッチのオン操作により暖房運転の禁止表示と暖房運転の禁止状態とを水位センサが所定水位を超える水位を検知するまで行い、暖房運転を実施した後停止した状態で水位センサが所定水位以下を検知して給水の表示をした時、及び暖房運転中に水位センサが所定水位以下を検知して暖房運転を停止して暖房運転の禁止表示をした時にタイマによる計時を開始し、タイマが所定時間を計時するまでは水位センサが所定水位以下を検知していても運転スイッチのオン操作により給水の表示をした状態で暖房運転を行うことができ、タイマが所定時間を計時した時、水位センサが所定水位を超える水位を検知するまで暖房運転の禁止表示を行いながら暖房運転を禁止するものである。
【００１０】
又請求項６に係る温水暖房装置では、燃料を燃焼させるバーナと、該バーナの燃焼熱で内方を流通する温水を加熱する熱交換器と、前記加熱後の温水を放熱器に循環させて放熱し室内の暖房を行い、放熱後の温水を再び熱交換器に戻す循環ポンプと、所定時間を計時するタイマと、前記放熱器と循環ポンプとの間に接続されたシスターンタンクと、該シスターンタンク内に温水量を検知する水位センサとを備えた温水暖房装置に於いて、電源スイッチをオフからオンにした後で暖房運転を実施していない状態で水位センサが所定水位以下を検知した時、その後の運転スイッチのオン操作により暖房運転の禁止表示と暖房運転の禁止状態とを水位センサが所定水位を超える水位を検知するまで行い、暖房運転を実施した後停止した状態で水位センサが所定水位以下を検知して給水の表示をした時の後の運転スイッチのオン操作、及び暖房運転中に水位センサが所定水位以下を検知して暖房運転を停止して暖房運転の禁止表示をした時の後の運転スイッチのオン操作からタイマによる計時を開始し、タイマが所定時間を計時するまでは水位センサが所定水位以下を検知していても運転スイッチのオン操作により給水の表示をした状態で暖房運転を行うことができ、タイマが所定時間を計時した時、水位センサが所定水位を超える水位を検知するまで暖房運転の禁止表示を行いながら暖房運転を禁止するものである。
【発明の効果】
【００１１】
この発明の請求項１によれば、暖房運転中に水位センサが所定水位以下を検知した時、暖房運転を停止するので、極めて安全であり、熱交換器などの機器の損傷を防止できるものであり、又、暖房運転が停止することでユーザに確実に循環水の補給の必要性を認識させることができるものである。
更に暖房運転中に水位センサが所定水位以下を検知して暖房運転を停止した時にタイマによる計時を開始し、タイマが所定時間を計時するまでは水位センサが所定水位以下を検知していても運転スイッチのオン操作により暖房運転を行うことができるので、慌ててユーザが自ら循環水を補給したり、サービスマンに連絡してサービスマンに循環水を補給してもらうまで暖房運転ができないなどの不都合が発生せず使い勝手をよくできるものである。
【００１２】
又本発明の請求項２に記載の温水暖房装置によれば、暖房運転中に水位センサが所定水位以下を検知した時、暖房運転を停止するので、極めて安全であり、熱交換器などの機器の損傷を防止できるものであり、又、暖房運転が停止することでユーザに確実に循環水の補給の必要性を認識させることができるものである。
更に暖房運転中に水位センサが所定水位以下を検知して暖房運転を停止した後に運転スイッチのオン操作された時からタイマによる計時を開始し、タイマが所定時間を計時するまでは水位センサが所定水位以下を検知していても運転スイッチのオン操作により暖房運転を行うことができるので、水位センサが所定水位以下を検知して暖房運転を停止したのに気づかずに、しばらく時間が経ってから運転スイッチをオン操作して暖房運転を開始しても、すぐにタイマが所定時間を計時して暖房運転を停止して暖房運転を禁止する状態になり、慌ててユーザが自ら循環水を補給したり、慌ててサービスマンに連絡してサービスマンに循環水を補給してもらうまで暖房運転ができないなどの不都合が発生せず使い勝手をよくできるものである。
【００１３】
又本発明の請求３に記載の温水暖房装置によれば、暖房運転中に水位センサが所定水位以下を検知した時、暖房運転を停止するので、極めて安全であり、熱交換器などの機器の損傷を防止できるものであり、又、暖房運転が停止することでユーザに確実に循環水の補給の必要性を認識させることができるものである。
更に暖房運転中に水位センサが所定水位以下を検知して暖房運転を停止した時にタイマによる計時を開始し、タイマが所定時間を計時するまでは水位センサが所定水位以下を検知していても運転スイッチのオン操作により暖房運転を行うことができるので、慌ててユーザが自ら循環水を補給したり、サービスマンに連絡してサービスマンに循環水を補給してもらうまで暖房運転ができないなどの不都合が発生せず使い勝手をよくできるものである。
【００１４】
また暖房運転を実施した後停止した状態で水位センサが所定水位以下を検知した時も水位センサが所定水位以下を検知した時からタイマによる計時を開始し、タイマが所定時間を計時するまでは水位センサが所定水位以下を検知していても運転スイッチのオン操作により暖房運転を行うことができるので、慌ててユーザが自ら循環水を補給したり、サービスマンに連絡してサービスマンに循環水を補給してもらうまで暖房運転ができないなどの不都合が発生せず使い勝手をよくできるものである。
【００１５】
また電源スイッチをオフからオンにした後で暖房運転を実施していない状態で水位センサが所定水位以下を検知した時は水位センサが所定水位を超える水位を検知するまで暖房運転の禁止状態を行うので、暖房シーズンの始めや長時間の停電後の再始動の時、循環水不足の状態でシーズンインしたり再起動したりすることがなく、暖房運転開始後にすぐに暖房運転の禁止状態となるのを防止して使い勝手をよくすることができるものである。
【００１６】
又本発明の請求４に記載の温水暖房装置によれば、暖房運転中に水位センサが所定水位以下を検知した時、暖房運転を停止するので、極めて安全であり、熱交換器などの機器の損傷を防止できるものであり、又、暖房運転が停止することでユーザに確実に循環水の補給の必要性を認識させることができるものである。
更に暖房運転中に水位センサが所定水位以下を検知して暖房運転を停止した後に運転スイッチのオン操作された時からタイマによる計時を開始し、タイマが所定時間を計時するまでは水位センサが所定水位以下を検知していても運転スイッチのオン操作により暖房運転を行うことができるので、水位センサが所定水位以下を検知して暖房運転を停止したのに気づかずに、しばらく時間が経ってから運転スイッチをオン操作して暖房運転を開始しても、すぐにタイマが所定時間を計時して暖房運転を停止して暖房運転を禁止する状態になり、慌ててユーザが自ら循環水を補給したり、慌ててサービスマンに連絡してサービスマンに循環水を補給してもらうまで暖房運転ができないなどの不都合が発生せず使い勝手をよくできるものである。
【００１７】
また暖房運転を実施した後停止した状態で水位センサが所定水位以下を検知した時も水位センサが所定水位以下を検知した時後の運転スイッチのオン操作された時からタイマによる計時を開始し、タイマが所定時間を計時するまでは水位センサが所定水位以下を検知していても運転スイッチのオン操作により暖房運転を行うことができるので、水位センサが所定水位以下を検知して暖房運転を停止したのに気づかずに、しばらく時間が経ってから運転スイッチをオン操作して暖房運転を開始しても、すぐにタイマが所定時間を計時して暖房運転を停止して暖房運転を禁止する状態になり、慌ててユーザが自ら循環水を補給したり、慌ててサービスマンに連絡してサービスマンに循環水を補給してもらうまで暖房運転ができないなどの不都合が発生せず使い勝手をよくできるものである。
【００１８】
また電源スイッチをオフからオンにした後で暖房運転を実施していない状態で水位センサが所定水位以下を検知した時は水位センサが所定水位を超える水位を検知するまで暖房運転の禁止状態を行うので、暖房シーズンの始めや長時間の停電後の再始動の時、循環水不足の状態でシーズンインしたり再起動したりすることがなく、暖房運転開始後にすぐに暖房運転の禁止状態となるのを防止して使い勝手のをよくすることができるものである。
【００１９】
又本発明の請求５に記載の温水暖房装置によれば、暖房運転中に水位センサが所定水位以下を検知した時、暖房運転の禁止表示をして暖房運転を停止するので、極めて安全であり、熱交換器などの機器の損傷を防止できるものであり、又、暖房運転の禁止表示をして暖房運転を停止することでユーザに確実に循環水の補給の必要性を認識させることができるものである。
更に暖房運転中に水位センサが所定水位以下を検知して暖房運転の禁止表示をして暖房運転を停止した時にタイマによる計時を開始し、タイマが所定時間を計時するまでは水位センサが所定水位以下を検知していても運転スイッチのオン操作により給水の表示をした状態で暖房運転を行うことができるので、循環水の補充が必要なことをユーザに認識させつつ、慌ててユーザが自ら循環水を補給したり、サービスマンに連絡してサービスマンに循環水を補給してもらうまで暖房運転ができないなどの不都合が発生せず使い勝手をよくできるものである。
【００２０】
また暖房運転を実施した後停止した状態で水位センサが所定水位以下を検知した時も暖房運転の禁止表示をすると共に、水位センサが所定水位以下を検知した時からタイマによる計時を開始し、タイマが所定時間を計時するまでは水位センサが所定水位以下を検知していても運転スイッチのオン操作により給水の表示をした状態で暖房運転を行うことができるので、循環水の補充が必要なことをユーザに認識させつつ、慌ててユーザが自ら循環水を補給したり、サービスマンに連絡してサービスマンに循環水を補給してもらうまで暖房運転ができないなどの不都合が発生せず使い勝手をよくできるものである。
【００２１】
また電源スイッチをオフからオンにした後で暖房運転を実施していない状態で水位センサが所定水位以下を検知した時は水位センサが所定水位を超える水位を検知するまで暖房運転の禁止表示をして暖房運転の禁止状態を行うので、ユーザに確実に循環水の補給の必要性をより認識させることができると共に、暖房シーズンの始めや長時間の停電後の再始動の時、循環水不足の状態でシーズンインしたり再起動したりすることがなく、暖房運転開始後にすぐに暖房運転の禁止状態となるのを防止して使い勝手をよくすることができるものである。
【００２２】
又本発明の請求６に記載の温水暖房装置によれば、暖房運転中に水位センサが所定水位以下を検知した時、暖房運転の禁止表示をして暖房運転を停止するので、極めて安全であり、熱交換器などの機器の損傷を防止できるものであり、又、暖房運転が停止することでユーザに確実に循環水の補給の必要性を認識させることができるものである。
更に暖房運転中に水位センサが所定水位以下を検知して暖房運転の禁止表示をして暖房運転を停止した後に運転スイッチのオン操作された時からタイマによる計時を開始し、タイマが所定時間を計時するまでは水位センサが所定水位以下を検知していても運転スイッチのオン操作により給水の表示をした状態で暖房運転を行うことができるので、水位センサが所定水位以下を検知して暖房運転を停止したのに気づかずに、しばらく時間が経ってから運転スイッチをオン操作して暖房運転を開始しても、すぐにタイマが所定時間を計時して暖房運転を停止して暖房運転を禁止する状態になり、慌ててユーザが自ら循環水を補給したり、慌ててサービスマンに連絡してサービスマンに循環水を補給してもらうまで暖房運転ができないなどの不都合が発生せず、循環水の補充が必要なことをユーザに認識させつつ、使い勝手をよくできるものである。
【００２３】
また暖房運転を実施した後停止した状態で水位センサが所定水位以下を検知した時も水位センサが所定水位以下を検知した時後の運転スイッチのオン操作された時からタイマによる計時を開始し、タイマが所定時間を計時するまでは水位センサが所定水位以下を検知していても運転スイッチのオン操作により給水の表示をした状態で暖房運転を行うことができるので、水位センサが所定水位以下を検知して暖房運転を停止したのに気づかずに、しばらく時間が経ってから運転スイッチをオン操作して暖房運転を開始しても、すぐにタイマが所定時間を計時して暖房運転を停止して暖房運転を禁止する状態になり、慌ててユーザが自ら循環水を補給したり、慌ててサービスマンに連絡してサービスマンに循環水を補給してもらうまで暖房運転ができないなどの不都合が発生せず、循環水の補充が必要なことをユーザに認識させつつ、使い勝手をよくできるものである。
【００２４】
また電源スイッチをオフからオンにした後で暖房運転を実施していない状態で水位センサが所定水位以下を検知した時は水位センサが所定水位を超える水位を検知するまで暖房運転の禁止表示をして暖房運転の禁止状態を行うので、ユーザに確実に循環水の補給の必要性をより認識させることができると共に、暖房シーズンの始めや長時間の停電後の再始動の時、循環水不足の状態でシーズンインしたり再起動したりすることがなく、暖房運転開始後にすぐに暖房運転の禁止状態となるのを防止して使い勝手のをよくすることができるものである。
【発明を実施するための最良の形態】
【００２５】
次に、本発明に係る発明の一実施例を図面に基づいて説明する。
１は温水暖房装置で、燃料を燃焼させるバーナ２と、該バーナ２を覆う燃焼筒３の上部に備えられ燃焼ガスと熱交換して温水を得る熱交換器４とを備えている。
【００２６】
５は開放式でここから液の補充も行うシスターンタンクで、底部の一方には流出口６が形成され、室内に設置された暖房用の放熱器７からの温水の放熱戻り管８が接続されており、又底部の他方には温水が流入する流入管９が立設し、熱交換器４で加熱された温水を放熱器７に循環させ再び熱交換器４に戻す循環ポンプ１０へのタンク戻り管１１が接続されており、更に内方には上部から垂下された２本の電極からなる水位センサ１２が備えられている。
【００２７】
前記流入管９は、上部を温水の放出を防止する為に閉塞しており、中間部分で流出口６側及びシスターンタンク５の側壁側の２ヶ所に流入口１３を形成し、特に流出口６に向けて流入してくる温水を放出することで、水位の減少時に流出口６で発生する渦流を防止して、エアーがみによる温水の流通不良をなくするものである。
【００２８】
１４は制御回路を構成するマイコンで、出力側には循環ポンプ１０と、バーナ２に燃焼空気を供給する燃焼ファン１５と、同じくバーナ２に燃料を供給する電磁ポンプ１６と、補水警報ランプ１７とが接続され、又マイコン１４の入力側で該マイコン１４内のタイマー１８には水位センサ１２が接続されている。
【００２９】
前記タイマー１８は暖房運転中に水位センサ１２が所定水位以下を検知した時、又は暖房運転開始後いったん暖房運転を停止すると共に、その停止状態で水位センサ１２が所定水位以下を検知した時にカウントを開始し、所定時間ここでは一週間に該当する１６８時間をカウントし、カウントアップ後に運転スイッチがオンされたら、暖房運転停止状態にして循環ポンプ１０及び燃焼ファン１５及び電磁ポンプ１６の運転を停止させると共に、以後循環水が補充されて水位センサ１２が所定水位を超える水位を検知するまで、運転スイッチのオン操作を受け付けずに補水警報ランプ１７を点滅させて給水エラー表示をするものである。
【００３０】
次にこの一実施形態の作動について図面に基づいて説明する。
第１の実施形態として図３に示すように、まず長時間停電後の復旧や秋のシーズンインのように長時間暖房運転を行わない状態から電源スイッチがオン操作されたら（Ｓ１）、シスターンタンク５の内方に備えられた水位センサ１２でタンク内の水位を検知し（Ｓ２）、水位センサ１２が所定水位以下を検知した時、次に運転スイッチがオンされたか確認する。（Ｓ３）
【００３１】
（Ｓ３）で運転スイッチがオンされていなければ（Ｓ２）に戻り、（Ｓ３）で運転スイッチがオンされていれば補水警報ランプ１７を点滅させて給水エラー表示をし（Ｓ４）、更に暖房運転停止状態にして循環ポンプ１０及び燃焼ファン１５及び電磁ポンプ１６の運転を停止させ（Ｓ５）、次に循環液が補充されたかどうか水位センサ１２でタンク内の水位を検知し（Ｓ６）、循環液が補充されず水位センサ１２が所定水位以下を検知した時は（Ｓ４）に戻り、循環液が補充されて水位センサ１２が所定水位を超える水位を検知した時は表示をリセットして（Ｓ７）、補水警報ランプ１７の点滅を中止して（Ｓ１）に戻るものである。
【００３２】
また、（Ｓ２）でシスターンタンク５の内方に備えられた水位センサ１２が所定水位を超える水位を検知した時は、次に運転スイッチがオンされたか確認し（Ｓ８）、運転スイッチがオンされていなければ（Ｓ１）に戻り、運転スイッチがオンされていれば暖房運転を開始する。（Ｓ９）
【００３３】
そして暖房運転が継続されているか検知し（Ｓ１０）、暖房運転が継続されている場合は、シスターンタンク５の内方に備えられた水位センサ１２でタンク内の水位を検知し（Ｓ１１）、（Ｓ１１）で水位センサ１２が所定水位を超える水位を検知した時は暖房運転を継続し（Ｓ１２）、（Ｓ１０）へ戻るものである。
【００３４】
また、（Ｓ１１）で水位センサ１２が所定水位以下を検知した時は、補水警報ランプ１７を点滅させて給水エラー表示を行い（Ｓ１３）、暖房運転を停止し（Ｓ１４）、タイマー１８のカウントを開始して計時を開始する。（Ｓ１５）
【００３５】
また、（Ｓ１０）で暖房運転が停止している場合は、シスターンタンク５の内方に備えられた水位センサ１２でタンク内の水位を検知し（Ｓ１６）、（Ｓ１６）で水位センサ１２が所定水位を超える水位を検知した時は（Ｓ８）へ戻り、（Ｓ１６）で水位センサ１２が所定水位以下を検知した時は補水警報ランプ１７を点灯させて給水表示を行い（Ｓ１７）、（Ｓ１５）へ進むものである。
【００３６】
また（Ｓ１５）でタイマー１８がカウントを開始した後、タイマー１８が所定時間を計時したかどうかを確認し（Ｓ１８）、所定時間を計時した時、次に運転スイッチがオンされたか確認し（Ｓ１９）、運転スイッチがオンされていれば補水警報ランプ１７を点滅させて給水エラー表示を行い（Ｓ２０）、次に暖房運転を停止する。（Ｓ２１）
【００３７】
そして次にシスターンタンク５の内方に備えられた水位センサ１２でタンク内の水位を検知し（Ｓ２２）、（Ｓ２２）で水位センサ１２が所定水位を超える水位を検知した時は補水警報ランプ１７の表示をリセットしてから（Ｓ２３）、（Ｓ８）へ戻り、（Ｓ２２）で水位センサ１２が所定水位以下を検知した時は（Ｓ２０）に戻るものである。
【００３８】
また（Ｓ１９）で運転スイッチがオンされていなければ、次にシスターンタンク５の内方に備えられた水位センサ１２でタンク内の水位を検知し（Ｓ２４）、（Ｓ２４）で水位センサ１２が所定水位を超える水位を検知した時は（Ｓ２３）に進み、（Ｓ２４）で水位センサ１２が所定水位以下を検知した時は（Ｓ１９）に戻るものである。
【００３９】
また（Ｓ１８）でタイマー１８が所定時間をまだ計時していない時、次に運転スイッチがオンされたか確認し（Ｓ２５）、運転スイッチがオンされていれば補水警報ランプ１７を点灯させて給水表示を行い（Ｓ２６）、給水表示を行ったまま暖房運転を開始又は継続する。（Ｓ２７）
【００４０】
そして（Ｓ２７）で暖房運転開始後、シスターンタンク５の内方に備えられた水位センサ１２でタンク内の水位を検知し（Ｓ２８）、（Ｓ２８）で水位センサ１２が所定水位を超える水位を検知した時は補水警報ランプ１７の表示をリセットしてから（Ｓ２９）、（Ｓ１０）へ戻り、（Ｓ２８）で水位センサ１２が所定水位以下を検知した時は暖房運転を継続し（Ｓ３０）、次にタイマー１８が所定時間を計時したかどうかを確認し（Ｓ３１）、（Ｓ３１）でタイマー１８が所定時間をまだ計時していない時（Ｓ２５）へ戻り、（Ｓ３１）でタイマー１８が所定時間を計時した時（Ｓ２０）へ戻るものである。
【００４１】
また（Ｓ２５）で運転スイッチがオンされていなければ、次にシスターンタンク５の内方に備えられた水位センサ１２でタンク内の水位を検知し（Ｓ３２）、（Ｓ３２）で水位センサ１２が所定水位以下を検知した時は（Ｓ１８）へ戻り、（Ｓ３２）で水位センサ１２が所定水位を超える水位を検知した時は補水警報ランプ１７の表示をリセットしてから（Ｓ３３）、（Ｓ８）へ戻るものである。
【００４２】
尚、（Ｓ２５）で運転スイッチがオンされ、それにより（Ｓ２７）で暖房運転が開始又は継続されるが、その状態でタイマー１８が所定時間をまだ計時していない時に急激に循環水が減少した場合は、熱交換器４の空焚き検知センサ（図示せず）が作動して暖房運転を停止させ、温水暖房装置１が破損するのを防止するものである。
【００４３】
以上のように暖房運転中にシスターンタンク５の内方に備えられた水位センサ１２が所定水位以下を検知した時は、まずは補水警報ランプ１７を点滅させて給水エラー表示を行って一旦暖房運転を停止するので、使用者に循環水の補充を確実に認識させることができると共に、暖房運転停止後循環水の補充をしないままでも再度運転スイッチをオンすれば、所定時間は補水警報ランプ１７を点灯させて給水表示を行った状態で暖房運転を行うことができるので、慌てて循環水の補水作業を行う必要がなく、又サービスマンに連絡して対応してもらうまでの時間は暖房運転が行えるので、使い勝手もよいものである。
【００４４】
また暖房運転中にシスターンタンク５の内方に備えられた水位センサ１２が、所定水位以下を検知して暖房運転を停止した時から循環水の補充をしないまま所定時間が経過した場合は、暖房運転を停止すると共に、補水警報ランプ１７を点滅させて給水エラー表示を行い、循環水を補充して水位センサ１２が所定水位を超える水位を検知するまで補水警報ランプ１７を点滅させて給水エラー表示を継続し、運転スイッチのオン操作を受け付けないので、熱交換器４の空焚き検知センサが作動するほど循環水が減少する前に暖房運転を行えないようにし、それにより循環水不足での暖房運転による熱交換器４、熱交換缶体の損傷を確実に防止できるものである。
【００４５】
次に第２の実施形態を説明する。
尚、第２の実施形態でのタイマー１８は、暖房運転中に水位センサ１２が所定水位以下を検知した時、又は暖房運転開始後いったん暖房運転を停止すると共に、その停止状態の後に運転スイッチがオンされたらカウントを開始し、所定時間カウントしてカウントアップ後に暖房運転中、又は停止状態で運転スイッチがオンされたら、暖房運転停止状態にすると共に、以後循環水が補充されて水位センサ１２が所定水位を超える水位を検知するまで、運転スイッチのオン操作を受け付けずに補水警報ランプ１７を点滅させて給水エラー表示をするものである。
【００４６】
この第２の実施形態として図４に示すように、まず長時間停電後の復旧や秋のシーズンインのように長時間暖房運転を行わない状態から電源スイッチがオン操作されたら（Ｓ１）、シスターンタンク５の内方に備えられた水位センサ１２でタンク内の水位を検知し（Ｓ２）、水位センサ１２が所定水位以下を検知した時、次に運転スイッチがオンされたか確認する。（Ｓ３）
【００４７】
（Ｓ３）で運転スイッチがオンされていなければ（Ｓ２）に戻り、（Ｓ３）で運転スイッチがオンされていれば補水警報ランプ１７を点滅させて給水エラー表示をし（Ｓ４）、更に暖房運転停止状態にして循環ポンプ１０及び燃焼ファン１５及び電磁ポンプ１６の運転を停止させ（Ｓ５）、次に循環液が補充されたかどうか水位センサ１２でタンク内の水位を検知し（Ｓ６）、循環液が補充されず水位センサ１２が所定水位以下を検知した時は（Ｓ４）に戻り、循環液が補充されて水位センサ１２が所定水位を超える水位を検知した時は表示をリセットして（Ｓ７）、補水警報ランプ１７の点滅を中止して（Ｓ１）に戻るものである。
【００４８】
また、（Ｓ２）でシスターンタンク５の内方に備えられた水位センサ１２が所定水位を超える水位を検知した時は、次に運転スイッチがオンされたか確認し（Ｓ８）、運転スイッチがオンされていなければ（Ｓ１）に戻り、運転スイッチがオンされていれば暖房運転を開始する。（Ｓ９）
【００４９】
そして暖房運転が継続されているか検知し（Ｓ１０）、暖房運転が継続されている場合は、シスターンタンク５の内方に備えられた水位センサ１２でタンク内の水位を検知し（Ｓ１１）、（Ｓ１１）で水位センサ１２が所定水位を超える水位を検知した時は暖房運転を継続し（Ｓ１２）、（Ｓ１０）へ戻るものである。
【００５０】
また、（Ｓ１１）で水位センサ１２が所定水位以下を検知した時は、補水警報ランプ１７を点滅させて給水エラー表示を行い（Ｓ１３）、暖房運転を停止し（Ｓ１４）、運転スイッチがオンされたか確認する。（Ｓ３４）
【００５１】
また、（Ｓ１０）で暖房運転が停止している場合は、シスターンタンク５の内方に備えられた水位センサ１２でタンク内の水位を検知し（Ｓ３５）、（Ｓ３５）で水位センサ１２が所定水位を超える水位を検知した時は（Ｓ８）へ戻り、（Ｓ３５）で水位センサ１２が所定水位以下を検知した時は補水警報ランプ１７を点灯させて給水表示を行い（Ｓ３６）、（Ｓ３４）へ進むものである。
【００５２】
そして（Ｓ３４）で運転スイッチがオンされていなければ、（Ｓ１１）へ戻り、（Ｓ３４）で運転スイッチがオンされていれば、タイマー１８のカウントを開始して計時を開始すると共に（Ｓ３７）、補水警報ランプ１７を点灯させて給水表示を行い（Ｓ３８）、給水表示を行ったまま暖房運転を開始する。（Ｓ３９）
【００５３】
そして次にタイマー１８が所定時間を計時したかどうかを確認し（Ｓ４０）、タイマー１８が所定時間を計時した時、次にシスターンタンク５の内方に備えられた水位センサ１２でタンク内の水位を検知し（Ｓ４１）、（Ｓ４１）で循環液が補充されて水位センサ１２が所定水位を超える水位を検知した時は、補水警報ランプ１７の表示をリセットしてから（Ｓ４２）、（Ｓ１０）へ戻り、（Ｓ４１）で循環液が補充されず水位センサ１２が所定水位以下を検知した時は（Ｓ４９）に進むものである。
【００５４】
また（Ｓ４０）でタイマー１８が所定時間をまだ計時していない時、次にシスターンタンク５の内方に備えられた水位センサ１２でタンク内の水位を検知し（Ｓ４３）、（Ｓ４３）で循環液が補充されて水位センサ１２が所定水位を超える水位を検知した時は、（Ｓ５２）に進み、（Ｓ４３）で循環液が補充されず水位センサ１２が所定水位以下を検知した時は、次に運転スイッチがオフされたか確認し（Ｓ４４）、運転スイッチがオフされていなければ（Ｓ４０）へ戻り、運転スイッチがオフされていれば暖房運転を停止する。（Ｓ４５）
【００５５】
そして（Ｓ４５）で暖房運転を停止した後、次にタイマー１８が所定時間を計時したかどうかを確認し（Ｓ４６）、タイマー１８が所定時間をまだ計時していない時、次に運転スイッチがオンされたか確認し（Ｓ４７）、運転スイッチがオンされていれば（Ｓ３９）へ戻り、運転スイッチがオンされていなければ（Ｓ４６）へ戻るものである。
【００５６】
また（Ｓ４６）でタイマー１８が所定時間を計時した時、次に運転スイッチがオンされたか確認し（Ｓ４８）、運転スイッチがオンされていなければ（Ｓ４６）へ戻り、運転スイッチがオンされていれば補水警報ランプ１７を点滅させて給水エラー表示を行い（Ｓ４９）、次に暖房運転を停止する。（Ｓ５０）
【００５７】
そして（Ｓ５０）で暖房運転を停止した後、次にシスターンタンク５の内方に備えられた水位センサ１２でタンク内の水位を検知し（Ｓ５１）、（Ｓ５１）でで循環液が補充されず水位センサ１２が所定水位以下を検知した時は、（Ｓ５１）へ戻り、（Ｓ５１）で循環液が補充されて水位センサ１２が所定水位を超える水位を検知した時は、補水警報ランプ１７の表示をリセットしてから（Ｓ５２）、（Ｓ１）へ戻るものである。
【００５８】
以上のように暖房運転中にシスターンタンク５の内方に備えられた水位センサ１２が所定水位以下を検知した時は、まずは補水警報ランプ１７を点滅させて給水エラー表示を行って一旦暖房運転を停止するので、使用者に循環水の補充を確実に認識させることができると共に、暖房運転停止後循環水の補充をしないままでも再度運転スイッチをオンすれば、所定時間は補水警報ランプ１７を点灯させて給水表示を行った状態で暖房運転を行うことができるので、慌てて循環水の補水作業を行う必要がなく、又サービスマンに連絡して対応してもらうまでの時間は暖房運転が行えるので、使い勝手もよいものである。
【００５９】
また暖房運転中にシスターンタンク５の内方に備えられた水位センサ１２が、所定水位以下を検知して補水警報ランプ１７を点滅させて給水エラー表示を行って暖房運転を停止した後、再度運転スイッチのオン操作をした時から循環水の補充をしないまま所定時間が経過した場合は、暖房運転を停止すると共に、補水警報ランプ１７を点滅させて給水エラー表示を行い、循環水を補充して水位センサ１２が所定水位を超える水位を検知するまで補水警報ランプ１７を点滅させて給水エラー表示を継続し、運転スイッチのオン操作を受け付けないので、暖房運転中にシスターンタンク５の内方に備えられた水位センサ１２が所定水位以下を検知して補水警報ランプ１７を点滅させて給水エラー表示を行って暖房運転を停止した後、再度運転スイッチのオン操作をするまでの時間が長くても、再度運転スイッチのオン操作してから所定時間は補水警報ランプ１７を点灯させて給水表示を行った状態で暖房運転を行うことができ、循環水の補水作業を行う時間的余裕や、又サービスマンに連絡して対応してもらうまでの時間的余裕を充分確保することが出来、又熱交換器４の空焚き検知センサが作動するほど循環水が減少する前に暖房運転を行えないようにし、それにより循環水不足での暖房運転による熱交換器４、熱交換缶体の損傷を確実に防止できるものである。
【図面の簡単な説明】
【００６０】
【図１】この発明の温水暖房装置の概略図。
【図２】同電気回路のブロック図。
【図３】同水位検知による暖房運転のフローチャート図。
【図４】同その他の実施形態のフローチャート図。
【符号の説明】
【００６１】
２    バーナ
４    熱交換器
５    シスターンタンク
１０  循環ポンプ
１２  水位センサ
１８  タイマー
【図１】
0005144221.tif 000002
【図２】
0005144221.tif 000003
【図３】
0005144221.tif 000004
【図４】
0005144221.tif 000005